【手続補正書】
【提出日】平成27年3月3日(2015.3.3)
【手続補正１】
【補正対象書類名】明細書
【補正対象項目名】０００１
【補正方法】変更
【補正の内容】
【０００１】
本発明は、印刷装置に関する。
【手続補正２】
【補正対象書類名】明細書
【補正対象項目名】０００８
【補正方法】変更
【補正の内容】
【０００８】
そこで、本発明は大型化を抑制しつつ、印刷ジョブの終了までにかかる時間を短縮可能な印刷装置を提供するものである。
【手続補正３】
【補正対象書類名】明細書
【補正対象項目名】０００９
【補正方法】変更
【補正の内容】
【０００９】
上記の目的を達成するために、請求項１に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有する印刷装置であって、前記第一の印刷モードと前記第二の印刷モードとの間で印刷ジョブの終了までに必要な時間が短くなる方の印刷モードを、該印刷ジョブにおける印刷処理量に基づいて判別する判別手段と、前記判別手段により前記印刷ジョブの終了までに必要な時間が短くなると判別された方の印刷モードを前記印刷ジョブにおける印刷モードに設定する設定手段と、を備え、前記第二の印刷モードは、印刷品質を維持するための印刷休止期間が設けられていることを特徴とする。
また、請求項２に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有する印刷装置であって、前記第一の印刷モードと前記第二の印刷モードとの間で印刷ジョブの終了までに必要な時間が短くなる方の印刷モードを、該印刷ジョブにおける印刷処理量に基づいて判別する判別手段と、前記判別手段により前記印刷ジョブの終了までに必要な時間が短くなると判別された方の印刷モードを前記印刷ジョブにおける印刷モードに設定する設定手段と、を備え、前記第二の印刷モードは、アイドリング状態からの印刷準備時間が前記第一の印刷モードよりも長く設定されていることを特徴とする。
また、請求項３に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有する印刷装置であって、前記第一の印刷モードと前記第二の印刷モードとの間で印刷ジョブの終了までに必要な時間が短くなる方の印刷モードを、該印刷ジョブにおける印刷処理量に基づいて判別する判別手段と、前記判別手段により前記印刷ジョブの終了までに必要な時間が短くなると判別された方の印刷モードを前記印刷ジョブにおける印刷モードに設定する設定手段と、を備え、前記第二の印刷モードは、印刷品質を維持するための印刷休止期間が設けられていることを特徴とする。
また、請求項４に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有する印刷装置であって、前記第一の印刷モードと前記第二の印刷モードとの間で印刷ジョブの終了までに必要な時間が短くなる方の印刷モードを、該印刷ジョブにおける印刷処理量に基づいて判別する判別手段と、前記判別手段により前記印刷ジョブの終了までに必要な時間が短くなると判別された方の印刷モードを前記印刷ジョブにおける印刷モードに設定する設定手段と、を備え、前記第二の印刷モードは、アイドリング状態からの印刷準備時間が前記第一の印刷モードよりも長く設定されていることを特徴とする。
また、請求項５に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有する印刷装置であって、印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、を備え、前記第二の印刷モードは、印刷品質を維持するための印刷休止期間が設けられていることを特徴とする。
また、請求項６に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有する印刷装置であって、印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、を備え、前記第二の印刷モードは、アイドリング状態からの印刷準備時間が前記第一の印刷モードよりも長く設定されていることを特徴とする。
また、請求項７に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有する印刷装置であって、印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、を備え、前記第二の印刷モードは、印刷品質を維持するための印刷休止期間が設けられていることを特徴とする。
また、請求項８に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有する印刷装置であって、印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、を備え、前記第二の印刷モードは、アイドリング状態からの印刷準備時間が前記第一の印刷モードよりも長く設定されていることを特徴とする。
また、請求項９に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、を備え、前記第二の印刷モードは、印刷品質を維持するための印刷休止期間が設けられていることを特徴とする。
また、請求項１０に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、を備え、前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする。
また、請求項１１に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、を備え、前記第二の印刷モードは、印刷品質を維持するための印刷休止期間が設けられていることを特徴とする。
また、請求項１２に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、を備え、前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする。
また、請求項１３に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、を備え、前記第二の印刷モードは、印刷品質を維持するための印刷休止期間が設けられていることを特徴とする。
また、請求項１４に記載の発明に係る印刷装置は、印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、を備え、前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする。
また、請求項１５に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、を備え、前記第二の印刷モードは、印刷品質を維持するための印刷休止期間が設けられていることを特徴とする。
また、請求項１６に記載の発明に係る印刷装置は、第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、を備え、前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする。
【手続補正４】
【補正対象書類名】明細書
【補正対象項目名】００１０
【補正方法】変更
【補正の内容】
【００１０】
本発明によれば、大型化を抑制しつつ、印刷ジョブの終了までにかかる時間を短縮可能な印刷装置を提供できる。
【手続補正５】
【補正対象書類名】特許請求の範囲
【補正対象項目名】全文
【補正方法】変更
【補正の内容】
【特許請求の範囲】
【請求項１】
印刷処理時の用紙搬送速度が第一の搬送速度に制御される第一の印刷モードと前記第一の搬送速度よりも速い第二の搬送速度に制御される第二の印刷モードとを有する印刷装置であって、
前記第一の印刷モードと前記第二の印刷モードとの間で印刷ジョブの終了までに必要な時間が短くなる方の印刷モードを、該印刷ジョブにおける印刷処理量に基づいて判別する判別手段と、
前記判別手段により前記印刷ジョブの終了までに必要な時間が短くなると判別された方の印刷モードを前記印刷ジョブにおける印刷モードに設定する設定手段と、
を備え、
前記第二の印刷モードは、印刷品質を維持するための印刷休止期間が設けられていることを特徴とする印刷装置。
【請求項２】
印刷処理時の用紙搬送速度が第一の搬送速度に制御される第一の印刷モードと前記第一の搬送速度よりも速い第二の搬送速度に制御される第二の印刷モードとを有する印刷装置であって、
前記第一の印刷モードと前記第二の印刷モードとの間で印刷ジョブの終了までに必要な時間が短くなる方の印刷モードを、該印刷ジョブにおける印刷処理量に基づいて判別する判別手段と、
前記判別手段により前記印刷ジョブの終了までに必要な時間が短くなると判別された方の印刷モードを前記印刷ジョブにおける印刷モードに設定する設定手段と、
を備え、
前記第二の印刷モードは、アイドリング状態からの印刷準備時間が前記第一の印刷モードよりも長く設定されていることを特徴とする印刷装置。
【請求項３】
第一の印刷処理速度で印刷処理を行う第一の印刷モードと前記第一の印刷モードよりも高速な第二の印刷処理速度で印刷処理を行う第二の印刷モードとを有する印刷装置であって、
前記第一の印刷モードと前記第二の印刷モードとの間で印刷ジョブの終了までに必要な時間が短くなる方の印刷モードを、該印刷ジョブにおける印刷処理量に基づいて判別する判別手段と、
前記判別手段により前記印刷ジョブの終了までに必要な時間が短くなると判別された方の印刷モードを前記印刷ジョブにおける印刷モードに設定する設定手段と、
を備え、
前記第二の印刷モードは、印刷品質を維持するための印刷休止期間が設けられていることを特徴とする印刷装置。
【請求項４】
第一の印刷処理速度で印刷処理を行う第一の印刷モードと前記第一の印刷モードよりも高速な第二の印刷処理速度で印刷処理を行う第二の印刷モードとを有する印刷装置であって、
前記第一の印刷モードと前記第二の印刷モードとの間で印刷ジョブの終了までに必要な時間が短くなる方の印刷モードを、該印刷ジョブにおける印刷処理量に基づいて判別する判別手段と、
前記判別手段により前記印刷ジョブの終了までに必要な時間が短くなると判別された方の印刷モードを前記印刷ジョブにおける印刷モードに設定する設定手段と、
を備え、
前記第二の印刷モードは、アイドリング状態からの印刷準備時間が前記第一の印刷モードよりも長く設定されていることを特徴とする印刷装置。
【請求項５】
印刷処理時の用紙搬送速度が第一の搬送速度に制御される第一の印刷モードと前記第一の搬送速度よりも速い第二の搬送速度に制御される第二の印刷モードとを有する印刷装置であって、
印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、
前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、
を備え、
前記第二の印刷モードは、印刷品質を維持するための印刷休止期間が設けられていることを特徴とする印刷装置。
【請求項６】
印刷処理時の用紙搬送速度が第一の搬送速度に制御される第一の印刷モードと前記第一の搬送速度よりも速い第二の搬送速度に制御される第二の印刷モードとを有する印刷装置であって、
印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、
前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、
を備え、
前記第二の印刷モードは、アイドリング状態からの印刷準備時間が前記第一の印刷モードよりも長く設定されていることを特徴とする印刷装置。
【請求項７】
第一の印刷処理速度で印刷処理を行う第一の印刷モードと前記第一の印刷モードよりも高速な第二の印刷処理速度で印刷処理を行う第二の印刷モードとを有する印刷装置であって、
印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、
前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、
を備え、
前記第二の印刷モードは、印刷品質を維持するための印刷休止期間が設けられていることを特徴とする印刷装置。
【請求項８】
第一の印刷処理速度で印刷処理を行う第一の印刷モードと前記第一の印刷モードよりも高速な第二の印刷処理速度で印刷処理を行う第二の印刷モードとを有する印刷装置であって、
印刷ジョブの終了までに必要な時間が前記第一の印刷モードよりも前記第二の印刷モードの方が所定の時間以上短くなるか否かを、該印刷ジョブにおける印刷処理量に基づいて判別する判別手段と、
前記判別手段により短くなると判別された場合に前記第二の印刷モードを前記印刷ジョブにおける印刷モードに設定し短くならないと判別された場合に前記第一の印刷モードを前記印刷ジョブにおける印刷モードに設定する設定手段と、
を備え、
前記第二の印刷モードは、アイドリング状態からの印刷準備時間が前記第一の印刷モードよりも長く設定されていることを特徴とする印刷装置。
【請求項９】
印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、
前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、
前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、
を備え、
前記第二の印刷モードは、印刷品質を維持するための印刷休止期間が設けられていることを特徴とする印刷装置。
【請求項１０】
印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、
前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、
前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、
を備え、
前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする印刷装置。
【請求項１１】
第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、
前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、
前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、
を備え、
前記第二の印刷モードは、印刷品質を維持するための印刷休止期間が設けられていることを特徴とする印刷装置。
【請求項１２】
第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、
前記第一の印刷モードと前記第二の印刷モードとの間で前記他の印刷ジョブに基づく割込印刷のために中断させた印刷ジョブを再開させるまでに必要な時間が短くなる方の印刷モードを、前記他の印刷ジョブにおける印刷処理量に基づいて判別する判別手段と、
前記判別手段により前記他の印刷ジョブに基づく割込印刷のために中断させた印刷ジョブを再開させるまでに必要な時間が短くなると判別された方の印刷モードを前記他の印刷ジョブにおける印刷モードに設定する設定手段と、
を備え、
前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする印刷装置。
【請求項１３】
印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、
前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、
前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、
を備え、
前記第二の印刷モードは、印刷品質を維持するための印刷休止期間が設けられていることを特徴とする印刷装置。
【請求項１４】
印刷処理時の用紙搬送速度が第一の搬送速度に制御される第一の印刷モードと前記第一の搬送速度よりも速い第二の搬送速度に制御される第二の印刷モードとを有し、実行中の印刷ジョブを中断させて他の印刷ジョブに基づく割込印刷が可能な印刷装置であって、
前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、
前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、
を備え、
前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする印刷装置。
【請求項１５】
第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、
前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、
前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、
を備え、
前記第二の印刷モードは、印刷品質を維持するための印刷休止期間が設けられていることを特徴とする印刷装置。
【請求項１６】
第一の印刷処理速度で印刷処理を行う第一の印刷モードと前記第一の印刷モードよりも高速な第二の印刷処理速度で印刷処理を行う第二の印刷モードとを有し、実行中の印刷ジョブを中断させて他の印刷ジョブに基づく割込印刷が可能な印刷装置であって、
前記他の印刷ジョブに基づく割込印刷のために中断させた印刷ジョブを再開させるまでに必要な時間が前記第一の印刷モードよりも前記第二の印刷モードの方が所定の時間以上短くなるか否かを、前記他の印刷ジョブにおける印刷処理量に基づいて判別する判別手段と、
前記判別手段により短くなると判別された場合に前記第二の印刷モードを前記他の印刷ジョブにおける印刷モードに設定し短くならないと判別された場合に前記第一の印刷モードを前記他の印刷ジョブにおける印刷モードに設定する設定手段と、
を備え、
前記第二の印刷モードで前記他の印刷ジョブに基づく割込印刷を実行した場合には、前記他の印刷ジョブの終了後から所定の時間だけ経過するまでは前記中断させた印刷ジョブを再開させないように設定されていることを特徴とする印刷装置。